(57)【要約】【課題】電源起動時のチャタリング対策の為に、電源スイッチをＯＮしてから実際に電源回路が起動するまでに、常に一定期間ｔ（例えば０．３秒）の遅延が必要であった。【解決手段】電池１の装着により電源回路６に通電をすると共に、電圧検出回路２で電池１の装着信号を生成する。電圧検出回路２で電圧が検出され、スイッチ４で携帯電子機器の電源がＯＮされる通電信号と、ＯＦＦされる切断信号とを制御回路３に入力する。切断信号の受信により、遅延回路５で所定時間電源回路６を制御するＰ．ＯＮ．Ｈｉ＿３信号を停止させると共に、記憶回路７で通電信号または装着信号を記憶し、遅延回路５で所定期間の遅延後にＰ．ＯＮ．Ｈｉ＿３信号を電源回路６に入力し、電源回路６に電池からの電圧を印加する。【選択図】図１
2008134778.tif 000002
【特許請求の範囲】
【請求項１】
電子機器に電力を供給する電力供給手段と、
前記電力供給手段から電力の供給を検出し、供給信号を発生する電力検出手段と、
前記電子機器に通電する通電信号及び前記通電を切断する切断信号を発生する切替手段と、
前記通電信号、前記切断信号及び前記供給信号に応じて、前記電子機器に前記電力供給手段からの電力を通電する電源手段と、
前記電力供給手段による前記供給信号の停止、または前記切替手段による前記切断信号の発生の少なくとも何れか一方以降の所定期間を遅延する遅延手段と、
前記遅延手段が遅延を開始する開始点と、前記開始点から前記所定期間内に前記電力検出手段から発生した前記供給信号または前記切替手段から発生した通電信号の少なくとも何れか一方を記憶する記憶手段と、
前記記憶手段が記憶した当該供給信号または当該通電信号を、前記開始点から前記所定期間以降に前記電源手段に通電制御する制御手段とを備える電源起動装置。
【請求項２】
前記記憶手段が前記切断信号または前記供給信号の停止の何れかを受信したとき、
前記制御手段は、前記電源手段への通電を直ちに停止する制御を行う請求項１記載の電源起動装置。
【請求項３】
前記記憶手段が前記切断信号と前記供給信号とを同時に受信したとき、
前記制御手段は、前記電源手段に対し当該切断信号を優先する制御を行うと共に、当該供給信号を前記記憶手段に記憶する制御を行い、前記所定期間経過以降直ちに、当該電源手段に供給信号を送信する制御を行う請求項１または２何れかに記載の電源起動装置。
【請求項４】
前記遅延手段における前記所定時間を計測する電源は、前記電子機器に備えるバックアップ電源である請求項１記載の電源起動装置。
【請求項５】
前記遅延手段における前記所定時間を計測する電源が、少なくとも前記所定期間全域に渡り前記遅延手段を動作できる容量を有する蓄電手段と、逆流防止ダイオードとを含む請求項１記載の電源起動装置。
【請求項６】
前記所定期間を計測する基準は、時計回路の基準信号である請求項４記載の電源起動装置。
【請求項７】
通電により動作する電子機器に電力を供給する電力供給回路と、
前記電力供給回路から電力が供給されている供給信号を発生させる電力検出回路と、
前記電子機器に通電する通電信号及び前記通電を切断する切断信号を発生する切替回路と、
前記通電信号、前記切断信号及び前記供給信号に応じて、前記電子機器に前記電力供給回路から電力を導通する電源回路とを含む電源起動装置に供され、
前記電力供給回路による前記供給信号の停止、または前記切替回路による前記切断信号の発生の少なくとも何れか一方以降の所定期間を遅延する遅延回路と、
前記遅延回路が遅延を開始する開始点と、前記開始点から前記所定期間内に前記電力検出回路から発生した前記供給信号または前記切替回路から発生した通電信号の少なくとも何れか一方を記憶する記憶回路と、
前記記憶回路で記憶した当該供給信号または当該通電信号を、前記開始点から前記所定期間以降に前記電源手段に通電制御する制御回路とを集積した電源起動用集積回路。
【発明の詳細な説明】
【技術分野】
【０００１】
本発明は、電源回路の起動装置に関し、特にポータブル電子機器等の電源に適用される電池回路の起動装置に好適である。
【背景技術】
【０００２】
近年、電池駆動のポータブル機器に於ける電源回路に関しては、各回路やＩＣに対応した適切な電圧と電流容量の電源を供給するという従来からの基本的な性能に加えて、省電力、起動時間の短縮、高速な起動が可能なこと等が求められている。
【０００３】
通常、マイコンを利用して機器全体を制御している場合でも、電源の起動制御や、電源切断（以降、ＯＦＦと称す）の制御には、マイコンとは別に設けた専用ＩＣを使用することが多い。その理由は、本体電源がＯＦＦの時にマイコンが常に動いているよりも、本体電源がＯＦＦの時には専用ＩＣのみが動いている方が、メイン電池から消費する漏れ電流を減らすことが出来るからである。
【０００４】
また、マイコンとは別に設けた専用ＩＣを使用する方が、比較的消費電力の大きいマイコンの電源を、本体電源が通電（以降、ＯＮと称す）している時に、スイッチング電源から供給する事が出来るので、機器全体として消費する電力についても、減らす事が出来る。
従来、電源起動装置は特許文献１に記載されたものが知られている。その電源起動装置の概要を図４に示す。図４において、４１はポータブル機器用のメイン電池である。４２は電圧検出回路で、メイン電池４１が装着されたとき、電源起動要因の一つとなるメイン電池装着信号を制御回路４３に送る。メイン電池装着信号を受けて、制御回路４３は、電源回路４６を起動するための起動制御信号である「Ｐ．ＯＮ．Ｈｉ＿１」を出力する。「Ｐ．ＯＮ．Ｈｉ＿１」は遅延回路４５で遅延され、「Ｐ．ＯＮ．Ｈｉ＿２」となる。この「Ｐ．ＯＮ．Ｈｉ＿２」が、実際には電源回路４６を起動する。なお、４４は電源スイッチであり、制御回路４３にとって電源起動要因の一つとなる通電信号及び通電を切断した切断信号を制御回路４３に送信する。
【０００５】
以上のように構成された従来の電源起動装置について、その動作について説明する。  まず、メイン電池４１がポータブル機器に装着されると、電源回路４６と制御回路４３とに電源が供給されるが、それだけでは機器としての電源は入らない。電源の起動と電源ＯＦＦとを、マイコンに換わって専用で制御する制御回路４３が、電源回路４６に電源をＯＮするための制御信号を送ることで機器の電源が入る。つまり、制御回路４３が機器全体の電源の起動を管理している。
【０００６】
例えばメイン電池４１が二次電池の場合には、メイン電池４１が十分に充電され、所定の電圧を備えていれば、電圧検出回路４２がその電圧を検出して、制御回路４３に起動要因の一つであるメイン電池装着信号を送る。一方、メイン電池４１の充電が不十分なとき、電源回路４６と制御回路４３とにメイン電池４１の電源は供給されるが、電源回路４６が動作するのに十分な電圧に達していないため、電圧検出回路４２がその電圧不足を検出判定し、制御回路４３にメイン電池装着信号を送らない。その結果機器の電源は入らない。この電圧検出回路４２には、一般的な電圧検出タイプのリセットＩＣが適用可能で、そのリセット出力信号をメイン電池装着信号として、制御回路４３に送ることによって機能を実現できる。
【０００７】
十分に充電されているメイン電池４１が装着され、電圧検出回路４２がメイン電池装着信号を制御回路４３に送ると、制御回路４３は電源回路４６を起動するための起動制御信号である「Ｐ．ＯＮ．Ｈｉ＿１」を出力する。「Ｐ．ＯＮ．Ｈｉ＿１」はそのままでは電源回路４６を起動するわけではなく、遅延回路４５で遅延される。遅延回路４５は、電源ＯＦＦ状態を表すＬｏｗから電源ＯＮ状態を表すＨｉへの信号変化のタイミングを遅延し、「Ｐ．ＯＮ．Ｈｉ＿２」を作る。この「Ｐ．ＯＮ．Ｈｉ＿２」の電源ＯＦＦ状態を表すＬｏｗから電源ＯＮ状態を表すＨｉへの信号変化が、電源回路４６を直接起動する。
【０００８】
この遅延回路４５が必要な理由を、図５のタイミング図を使って以下説明する。同図の電池入力（以下、１番目と称す）のタイミング図は、メイン電池４１を機器に装着した時機器に印加される電圧を表している。また、Ｐ．ＯＮ．Ｈｉ＿１（以下、２番目と称す）のタイミング図は、「Ｐ．ＯＮ．Ｈｉ＿１」の出力タイミングを表している。同様に、Ｐ．ＯＮ．Ｈｉ＿２（以下、３番目と称す）のタイミング図は、「Ｐ．ＯＮ．Ｈｉ＿２」の出力タイミングを表している。
【０００９】
通常、メイン電池４１を機器に装着した時には、図５の１番目のタイミング図のＡ点〜Ｇ点に示すように、電池の端子が本体の端子と繋がるときに「電源投入時のチャタリング」と呼ばれる現象が発生する。「電源投入時のチャタリング」とは、電池の端子が本体の端子と繋がるときに、端子どうしが繋がる丁度その瞬間に、極短い時間ではあるが短い周期で繋がったり離れたりを繰り返す現象である。この現象は、メカニカルな電気接点が繋がるときには、期間の長い短いはあるにしても、必ず発生する現象である。以下「電源投入時のチャタリング」を、単にチャタリングとも称す。
【００１０】
上記の説明で示したように、メイン電池４１の電源が機器に接続されると、電圧検出回路４２がメイン電池装着信号を制御回路４３に送り、制御回路４３が同図のＡ点で「Ｐ．ＯＮ．Ｈｉ＿１」を出力するが、その電源投入時のチャタリングの発生している期間における「Ｐ．ＯＮ．Ｈｉ＿１」のタイミング波形は、図５の２番目のタイミング図にあるように、１番目の機器にかかる電池入力のタイミング波形とほぼ同じである。もちろん、実際には２番目のタイミング波形の「Ｐ．ＯＮ．Ｈｉ＿１」の出力変化には、各回路のほんのわずかな応答速度の遅れが全体的にはあるにしても、機器にかかる電池入力の電圧タイミングとほぼ同じタイミングで「Ｐ．ＯＮ．Ｈｉ＿１」が出力される。
【００１１】
もし、このままの「Ｐ．ＯＮ．Ｈｉ＿１」のタイミングで、チャタリングに起因するＯＮ／ＯＦＦを電源回路４６に付与すると、図では概念的に示しているため長い周期であるが、実際にははるかに短い周期で電源がＯＮ／ＯＦＦを繰り返すことになるため、電源回路４６が誤動作する。つまり、電源回路４６の出力回路部分に使用しているデカップコンデンサ等に前のＯＮの期間に充電された電圧が残ったままになることとなり、電源回路４６が誤動作する。
【００１２】
電源回路４６がこのような誤動作を発生した場合、電源回路４６は通常よりも高い電圧を過渡的に出力する事がある。この高い電圧は、時によっては各回路を構成しているＩＣや電気部品の絶対最大定格を越えるような高い電圧に達することもある。従って、このような高い電圧が印加されたＩＣや電気部品は、絶対最大定格を越えた電圧により、ダメージ場合によっては破壊されてしまうケースが発生する。
【００１３】
そこで従来の電源起動装置では、「Ｐ．ＯＮ．Ｈｉ＿１」で直接電源回路４６をＯＮ／ＯＦＦせず、その後に遅延回路４５を挿入し、出力回路部分に使用しているデカップコンデンサ等に残った残存電圧が放電するのに十分な時間を経た後「Ｐ．ＯＮ．Ｈｉ＿１」のＬｏｗからＨｉへの変化を遅延させた「Ｐ．ＯＮ．Ｈｉ＿２」を用い、電源回路４６をＯＮ／ＯＦＦすることにより、図５の３番目の波形に示すように、「Ｐ．ＯＮ．Ｈｉ＿１」の電源起動のＬｏｗからＨｉへの変化のタイミングを所定期間ｔだけ遅らせた信号が、「Ｐ．ＯＮ．Ｈｉ＿２」である。
【００１４】
すなわち、遅延回路４５は「Ｐ．ＯＮ．Ｈｉ＿２」のＬｏｗレベルからＨｉレベルへの変化による電源起動のタイミングを期間ｔだけ遅らせ、電源ＯＦＦの制御のＨｉレベルからＬｏｗレベルへの変化のタイミングには遅延をかけないように構成する。この構成により、電源ＯＦＦの期間には必ず期間ｔ以上の時間を確保できる。
【００１５】
これは、別の意味でも必要な構成である。つまり、電源をＯＦＦする方向の制御タイミングには、電源の強制リセットや、出力回路の短絡に対する保護のための緊急電源ＯＦＦ等の緊急性の高い制御が含まれる。このため電源ＯＦＦ方向の制御は直ちに実行する必要がある。なお、この制御の実際の回路構成としては、例えば遅延回路４５の前後をダイオードで接続するなどの方法で、容易に実現することができる。
【００１６】
改めて、図５の１番目の波形と３番目の波形を見ると、電池１の入力時等にどのような短い周期の電源投入時のチャタリングが発生しても、「Ｐ．ＯＮ．Ｈｉ＿２」には期間ｔ以上の電源ＯＦＦの期間が確保された後、次の電源が入るように制御出来ている。
【特許文献１】特開２００６―１８５７４号公報
【発明の開示】
【発明が解決しようとする課題】
【００１７】
しかしながら上記の従来の構成では、電源の起動要因（供給信号及び通電信号の総称）が成立し、実際に電源回路が起動するまでには、図５のＡ点からＢ点及びＤ点からＥ点のように必ず期間ｔの遅延が発生する。電源スイッチのＯＮが起動要因の時も同様で、同図のＧ点からＨ点及びＪ点からＫ点のように機器の使用者が電源スイッチをＯＮしてから、実際に電源回路が起動するまでにも期間ｔの遅延が発生する。
【００１８】
これは、図５のタイミング図に示したように、機器の使用者が電源スイッチをＯＮすると、制御回路４３はそれを検出して直ちに「Ｐ．ＯＮ．Ｈｉ＿１」を発行するが、その後に遅延回路４５が入るので、実際に電源回路４６をＯＮする「Ｐ．ＯＮ．Ｈｉ＿２」がＬｏｗレベルからＨｉレベルへ変化するのは期間ｔ後となり、電源はすぐには入らず、期間ｔの遅延が発生する。
【００１９】
また、最近の機器では、電源回路に接続されている回路の規模も大きくなり、出力回路部分に使用しているデカップコンデンサの容量も大きくなっている。その結果、デカップコンデンサ等に残った残存電圧が放電するのに必要な時間は長くなり、電源投入時のチャタリング対策のため必要な所定期間ｔも等価的に長くなってきている。例えば、最近の機器では、０．３秒程度の所定期間ｔを設けている機器も製品化されている。
【００２０】
一方、使い勝手の追求の中では、近年高速起動に関する要求が強くなってきている。ポータブルの機器の中でも、特に映像や音声を記録する目的で使用するデジタルスチルカメラやムービーなどでは、普段は電源をＯＦＦし待機しておくことで電池の消耗を押さえながら、いざ目の前で目的とするイベントが発生しそうになると、瞬時に機器を起動し、撮影又は録音するような使い方が出来るような対応が求められてきている。
【００２１】
そのようなクイック起動に関する要求が強くなってきている状況の中で、電源スイッチをＯＮしてから実際に電源回路が起動するまでに常に所定期間ｔ（例えば０．３秒）が必要であるという問題点を有していた。
【００２２】
本発明は上記従来の問題点を解決するもので、電池装着時の電源投入時のチャタリング対策でどうしても必要な遅延期間ｔに対応しながら、電源スイッチで機器をＯＮしたときの電源起動時には期間ｔを必要とせず、即座に電源を起動する事が出来る電源起動装置を提供することを目的とする。
【課題を解決するための手段】
【００２３】
この目的を達成するために本発明の電源起動装置は、電子機器に電力を供給する電力供給手段と、前記電力供給手段から電力の供給を検出し、供給信号を発生する電力検出手段と、前記電子機器に通電する通電信号及び前記通電を切断する切断信号を発生する切替手段と、前記通電信号、前記切断信号及び前記供給信号に応じて、前記電子機器に前記電力供給手段からの電力を通電する電源手段と、前記電力供給手段による前記供給信号の停止、または前記切替手段による前記切断信号の発生の少なくとも何れか一方以降の所定期間を遅延する遅延手段と、前記遅延手段が遅延を開始する開始点と、前記開始点から前記所定期間内に前記電力検出手段から発生した前記供給信号または前記切替手段から発生した通電信号の少なくとも何れか一方を記憶する記憶手段と、前記記憶手段が記憶した当該供給信号または当該通電信号を、前記開始点から前記所定期間以降に前記電源手段に通電制御する制御手段とを備える構成を有している。
【発明の効果】
【００２４】
本発明は、電池装着時の電源投入時のチャタリング対策に必要な期間ｔに対しては対応しながら、電源スイッチで機器をＯＮしたときの電源起動時では期間ｔを必要とせず、直ちに電源を起動する事が出来る電源起動装置を提供出来る。
【発明を実施するための最良の形態】
【００２５】
本発明の電源起動装置は、電子機器に電力を供給する電力供給手段と、前記電力供給手段から電力の供給を検出し、供給信号を発生する電力検出手段と、前記電子機器に通電する通電信号及び前記通電を切断する切断信号を発生する切替手段と、前記通電信号、前記切断信号及び前記供給信号に応じて、前記電子機器に前記電力供給手段からの電力を通電する電源手段と、前記電力供給手段による前記供給信号の停止、または前記切替手段による前記切断信号の発生の少なくとも何れか一方以降の所定期間を遅延する遅延手段と、前記遅延手段が遅延を開始する開始点と、前記開始点から前記所定期間内に前記電力検出手段から発生した前記供給信号または前記切替手段から発生した通電信号の少なくとも何れか一方を記憶する記憶手段と、前記記憶手段が記憶した当該供給信号または当該通電信号を、前記開始点から前記所定期間以降に前記電源手段に通電制御する制御手段とを備える。この構成により、電力検出手段から供給信号が停止、または切替手段が切断信号を生成した際には、制御手段が遅延手段に所定期間遅延指令を出すことで、当該所定期間電源手段に電力の供給を停止するため、電子機器に対する電源投入や電子機器内部スイッチ等のＯＮ／ＯＦＦに際して必ず発生するチャタリングに起因する不具合を抑制できる。また、当該所定時間経過後は、供給信号または通電信号により速やかに電源手段に対し電力供給手段から電力を供給することができ、電源投入または電子機器内部スイッチ等のＯＮ時にチャタリングによる不具合防止の待ち時間を解消することができる。
【００２６】
上記電源起動装置における記憶手段が前記切断信号または前記供給信号の停止の何れかを受信したとき、前記制御手段は、前記電源手段への通電を直ちに停止する制御を行う構成とすることもできる。この構成により、電源手段の通電停止を優先して実行できる、すなわち切断信号または供給信号停止という電源手段への通電停止を直ちに行い、遅延時間ｔを通電停止期間に組み込めることが実現でき、遅延時間ｔによる通電の遅れ、すなわち待ち時間を抑制できる。
【００２７】
上記電源起動装置における記憶手段が前記切断信号と前記供給信号とを同時に受信したとき、前記制御手段は、前記電源手段に対し当該切断信号を優先する制御を行うと共に、当該供給信号を前記記憶手段に記憶する制御を行い、前記所定期間経過以降直ちに、当該電源手段に供給信号を送信する制御を行う構成であっても良い。この構成により、切断信号または供給信号定礎といった電源ＯＦＦ要因を常に最優先して行えるため、電源ＯＦＦの制御の中で、例えば緊急性の高い電源リセットまたは出力回路の短絡に対する保護等の制御を確実に実行することができる。
【００２８】
上記電源起動装置の遅延手段における前記所定時間を計測する電源は、前記電子機器に備えるバックアップ電源とするとこができる。この構成により、メインの電池が完全にはずれて、電源供給が止まっている期間も継続して遅延時間を計測する事ができるため、例えば停電時や電池が不用意に外れた時等で電源供給が不意に停止した後電源供給が再開した際に、遅延することなく機器の動作を再開できる。
【００２９】
上記電源起動装置の遅延手段における前記所定時間を計測する電源が、少なくとも前記所定期間全域に渡り前記遅延手段を動作できる容量を有する蓄電手段と、逆流防止ダイオードとを含む構成が好ましい。この構成により、例えば電源が装着部から不用意に外れる等により電源手段への電源供給が停止する場合であっても、バックアップ電池を必要としないため、遅延時間の計測に対する支障はなく、電子機器のコストを低下させることができる。
【００３０】
上記所定期間を計測する基準は、時計回路の基準信号を適用することが好ましい。この構成により、常に一定の基準信号を確保することができ、遅延時間を所定の時間とすることができる。
【００３１】
また、通電により動作する電子機器に電力を供給する電力供給回路と、前記電力供給回路から電力が供給されている供給信号を発生させる電力検出回路と、前記電子機器に通電する通電信号及び前記通電を切断する切断信号を発生する切替回路と、前記通電信号、前記切断信号及び前記供給信号に応じて、前記電子機器に前記電力供給回路から電力を導通する電源回路とを含む電源起動装置に供され、前記電力供給回路による前記供給信号の停止、または前記切替回路による前記切断信号の発生の少なくとも何れか一方以降の所定期間を遅延する遅延回路と、前記遅延回路が遅延を開始する開始点と、前記開始点から前記所定期間内に前記電力検出回路から発生した前記供給信号または前記切替回路から発生した通電信号の少なくとも何れか一方を記憶する記憶回路と、前記記憶回路で記憶した当該供給信号または当該通電信号を、前記開始点から前記所定期間以降に前記電源手段に通電制御する制御回路とを集積した電源起動用集積回路を電子機器に適用することが好ましい。この構成により、電源起動回路が１チップ化することができるため、電子機器の小型化と省電力とが達成できる。
【００３２】
以下、本発明の電源起動装置における最良の実施形態について、図１及び図２を参照しながら詳述する。図１は本発明の電源起動装置における一実施形態の構成図であり、１は電力を電子機器に供給する電池（電力供給手段）、２は電池１が不図示の電池装着部に装着され電圧を検出し供給信号を発生する電圧検出回路（電力検出手段）、３は制御回路（制御手段）、４は電源スイッチ（切替手段）、５は遅延回路（遅延手段）、６は電源回路、そして７は記憶回路である。制御回路３は、電圧検出回路２、電源スイッチ４、遅延回路５及び記憶回路７に接続され電源回路６に制御信号を送信する。
【００３３】
次に、図１の回路ブロック構成及び働きについて説明する。ムービーやデジタルスチルカメラ等の携帯電子機器（不図示）を駆動する電池１を不図示の装着部に装着すると、電源回路６に電圧を印加すると共に、電圧検出回路２が電池１の装着を検出し、制御部３に装着信号（供給信号）を送信する。このとき、装着信号は単に電池１の装着を示すに留まらず、電池１が電源回路６を介して携帯電子機器を駆動するだけの電圧を有するか否かの信号も生成する。すなわち、電圧検出回路２は、電池１が１次電池の場合には使い込みで電圧または容量の不足を検出した時は装着信号を送出しなく、２次電池の場合では充電不足を検出した時は装着信号を送出しない。また、携帯電子機器の電源の入り切りを制御する電源スイッチ４により、携帯電子機器をＯＮ／ＯＦＦすると共に、通電信号及び切断信号を生成する。
【００３４】
電源スイッチ４で携帯電子機器の電源を投入すると、図２の電池入力（以下、１番目と称す）のタイミング図に示すように電源投入時チャタリングが生じる。なお、同図では概念的に示しているため周期は長いように見受けられるが、実際には非常に短周期でしかも不規則的に高い電圧レベル（以下、Ｈｉレベルと称す）から低い電圧レベル（以下、Ｌｏｗレベルと称す）への移行と、ＬｏｗレベルからＨｉレベルへの移行がチャタリング期間繰り返される。制御回路３がＨｉレベルからＬｏｗレベルへの移行（実質的に切断信号）を受信すると、直ちに遅延回路５に対し所定期間ｔの遅延を指令する制御を行う。なお、電圧検出回路２からの装着信号の停止を生成した場合でも、装着信号停止の受信に伴い、直ちに遅延回路５に対し所定期間ｔの遅延を指令する制御を行う。このように、電源スイッチ４が生成する切断信号と電圧検出回路２が生成する装着信号の停止とは、共に電源供給をＯＦＦする要因であるため、電源ＯＦＦ要因と称する。また、電源スイッチ４が生成する通電信号と電圧検出回路２が生成する装着信号とは、共に電源供給をＯＮする要因であるため、電源ＯＮ要因と称する。
【００３５】
電源ＯＦＦ要因を制御回路３が受信すると、図２のＰ．ＯＮ．Ｈｉ＿３（以下、２番目と称す）のタイミング図に示すように、電源回路６に対する起動制御信号「Ｐ．ＯＮ．Ｈｉ＿３」の送信を停止する。この電源ＯＦＦ要因を制御回路３が検知し、遅延回路５の遅延期間内に電源ＯＮ要因を制御回路３が受信すると、記憶回路７に記憶させる。また、遅延回路５の遅延期間経過後に電源ＯＮ要因を制御回路３が検知すると、電源回路６にＨｉレベルの起動制御信号「Ｐ．ＯＮ．Ｈｉ＿３」を送信する。すなわち、制御回路３は、電源ＯＦＦ要因を検知すると直ちに電源回路６への起動制御信号「Ｐ．ＯＮ．Ｈｉ＿３」の送信を停止（ＨｉレベルからＬｏｗレベルにする）し、遅延回路５による所定の遅延期間（例えば、デカップコンデンサ等の残留電圧の放電時間よりも長い時間）は起動制御信号「Ｐ．ＯＮ．Ｈｉ＿３」をＬｏｗレベルに保持する制御を行う。また、制御回路３は、電源ＯＮ要因を検知すると、遅延回路５の遅延期間でなければ直ちに電源回路６への起動制御信号「Ｐ．ＯＮ．Ｈｉ＿３」をＬｏｗレベルからＨｉレベルにする制御を行い、遅延回路５の遅延期間内であれば記憶回路７に電源ＯＮ要因の受信を記憶させる制御を行う。なお、電源ＯＮ要因を制御回路３が検知している状態で電源ＯＮ要因を検知（例えば、本実施形態では、制御回路３が装着信号を検知している状態で、通電信号を検知する場合）した際には、起動制御信号「Ｐ．ＯＮ．Ｈｉ＿３」はＨｉレベルを維持し続ける。逆に、図２のｅ点からｇ点に示すように、電源ＯＦＦ要因（同図ｅ点）から遅延回路５による遅延期間ｔ経過中（ｅ点からｆ点）及び経過後（ｆ点からｇ点）も電源ＯＮ要因を制御回路３が検知しない場合には、電源回路６への起動制御信号「Ｐ．ＯＮ．Ｈｉ＿３」はＬｏｗレベルを維持し続け、電源ＯＮ要因を制御回路３が検出する（同図ｇ点）と、制御回路３は直ちに起動制御信号「Ｐ．ＯＮ．Ｈｉ＿３」をＨｉレベルにし、電源ＯＦＦ要因を制御回路３が検出する（同図ｇ点からｈ点）まで、起動制御信号「Ｐ．ＯＮ．Ｈｉ＿３」をＨｉレベルに維持し続ける。
【００３６】
このように、記憶回路７は電源ＯＦＦ要因を制御回路３が検知し、遅延回路５による遅延期間内に電源ＯＮ要因を制御回路３が検知した時、当該電源ＯＮ要因を記憶する。例えば図２のａ点からｄ点に示すように、電圧検出回路２が装着信号をａ点で検出し電源回路６に起動制御信号「Ｐ．ＯＮ．Ｈｉ＿３」を送信することで電源回路６にチャタリングが発生し、ｂ点で電池入力がＨｉレベルからＬｏｗレベルに変動に連動して、遅延回路５が遅延期間ｔの間にｃ点で電池入力がＬｏｗレベルからＨｉレベルに達した際には、当該ｃ点における電源ＯＮ要因を記憶回路７に記憶し、所定期間ｔを経過したｄ点で起動制御信号「Ｐ．ＯＮ．Ｈｉ＿３」を電源回路６に送信する。
【００３７】
例えば、電源ＯＮ要因の一つである電源スイッチ４から通電信号を制御回路３に送信したとしても、装着信号を制御回路３に送信していない状態では現実的には通電でき得なく、また例えば、遅延期間ｔだけ遅延した後に電池１の接続が外れた場合等では電源回路６を起動し得なく、このような場合には記憶回路７に蓄積されている記憶内容を消去するように制御回路３による制御等を付与しても良い。但し、記憶回路７として電池１を電源とする揮発性にすると、チャタリング期間中に発生する電源ＯＮ要因（例えば図２のｃ点）までも、遅延期間ｔ中の当該チャタリング（同図ｂ点）の電源ＯＦＦ要因で消失する危惧があり、通電中のみ記憶できる揮発性メモリを適用する場合には、バックアップ電池等を適用することが好ましい。
【００３８】
すなわち、記憶回路７は、起動制御信号「Ｐ．ＯＮ．Ｈｉ＿３」をＬｏｗレベルに維持する遅延回路５による遅延期間ｔの間に、制御回路３が電源ＯＮ要因を検出した時だけ、当該電源ＯＮ要因を記憶する。本実施形態では、電源ＯＮ要因は装着信号及び通電信号だけであるため、遅延期間中の最後に発生した電源ＯＮ要因のみを記憶すればよい。
【００３９】
また、遅延回路５の機能自体は図４の遅延回路４５と同様に、遅延期間ｔを計測することは同様であるが、従来構成では制御回路４３に対して直列に設けられた構成に対し、本実施形態では制御回路３に対し並列に備える構成が異なる。この構成上の相違点により、従来構成では図５を参照して説明したように、電源回路４６に対する起動制御信号「Ｐ．ＯＮ．Ｈｉ＿２」を遅延することとなるため、電源ＯＮ要因の発生直後に遅延期間ｔにより遅延されるが、本実施形態においては遅延回路５を制御回路３に対して並列に備えるため、電源ＯＦＦ要因直後に制御回路３が遅延回路５に遅延開始信号を送信し、遅延期間ｔの間遅延することができ、起動制御信号「Ｐ．ＯＮ．Ｈｉ＿３」を電源回路６に付与する時は遅延期間ｔで遅延することが無く、電子機器の起動開始信号である起動制御信号「Ｐ．ＯＮ．Ｈｉ＿３」の発生に同期して電源回路６が作動する。なお、遅延回路５は遅延期間ｔの計測に連動して遅延期間終了信号を制御回路３に送信し、制御回路３は遅延期間終了信号により直ちに起動制御信号「Ｐ．ＯＮ．Ｈｉ＿３」を電源回路６に送信する。
【００４０】
この遅延回路５における遅延期間ｔの計測には、外部からのクロック回路を備える構成や、専用の水晶発振器の発信周波数に基づく構成等がある。なお、上述の２例では専用の回路が必要であるため、回路スペースを必要とするためスペース的なロス及び部品点数の増加に伴うコストアップ等の課題があるが、例えばムービーやデジタルスチルカメラ等の携帯電子機器に標準搭載されている時計回路に適用されているクロック信号を基準信号として適用すると、省スペース化及び低コスト化が達成できる。また、遅延回路５の計測回路を駆動する駆動電源はさしたる容量は必要としないため、電子機器に標準装備されているバックアップ電源またはコンデンサ等の蓄電部品と当該蓄電部品に蓄積された電流の逆流を防止するダイオードとで構成した蓄電回路を適用すると、簡単な構成でしかも安価に構成することができる。なお、これらバックアップ電源または蓄電回路を用いると、例えば電池１が装着部から落下等により不用意に外れることがある場合でも、電子機器自体の動作に連動して電源起動装置の信頼性も保証できる。
【００４１】
また、制御回路３は、電圧検出回路２が送出する装着信号の有無と電源スイッチ４が送出する通電信号及び切断信号とに応じて、遅延回路５の遅延期間ｔの開始及び終了と記憶回路７への電源ＯＮ信号の記憶とを制御し、電源回路６に起動制御信号「Ｐ．ＯＮ．Ｈｉ＿３」を送信する。
【００４２】
以上のように、本実施形態によれば、制御回路３が電源ＯＦＦ要因の受信により直ちに遅延回路５に対して遅延期間ｔの計測開始と同時に、起動制御信号「Ｐ．ＯＮ．Ｈｉ＿３」をＬｏｗレベルに低下することで、電源投入時に必ず発生するチャタリングの悪影響を撲滅させながら、電源ＯＮ要因を制御回路３で検出すると直ちに制御回路３は起動制御信号「Ｐ．ＯＮ．Ｈｉ＿３」をＨｉレベルに高めるため、電源ＯＮ要因から電源回路６への起動待ち時間を撲滅することができるため、使用者にとって苦痛な起動開始時間の遅延を浴せ得することができる。また、遅延期間ｔの間に電源ＯＮ要因が発生した場合、記憶回路７に電源ＯＮ要因を記憶させ、当該所定期間ｔ終了後直ちに制御回路３が起動制御信号「Ｐ．ＯＮ．Ｈｉ＿３」を発生させることで、電源投入チャタリング期間にしばしば発生する突発的高電圧印加に起因する電源回路６の構成部品の破壊も抑制することができる。なお、本実施形態の記憶回路７は、遅延回路５が遅延期間中に電源ＯＮ要因を記憶すると共に、電源スイッチ４がＯＮ状態にあるかＯＦＦ状態にあるかのＯＮ／ＯＦＦ状態も記憶する構成を採用することが好ましい。このような構成を採用すると、例えば電源回路６が本体の動作を制御する本体内部制御部等の電源を兼ねる場合には、本体内部制御回路でのＯＮ／ＯＦＦ動作において、電源がＯＮ状態かＯＦＦ状態かによって本体の動作のみを制御することができる。
【００４３】
上述のように、本発明に係る電源駆動装置は電源投入時に電源回路で必ず発生するチャタリングに起因した悪影響の抑制を主たる目的とするが、チャタリング自体は電源投入時のみならず、電子機器として例えばムービーを例にとると、液晶表示・停止スイッチ、ＥＶＦ表示・停止スイッチ、カセットテープやディスク等の可換媒体収納カバー開閉スイッチ、リモートコントロールを介して動作する切替スイッチ、ＡＣアダプタを介しての電源投入・切断動作、ＡＣアダプタと電池との切替等々枚挙に厭わない。これらは何れも電源ＯＮ要因としても電源ＯＦＦ要因としても作用し、必ずしもそれぞれ独立ではなく、電源ＯＦＦ要因と電源ＯＮ要因とが同時に発生する場合もある。その一例について図３を参照して説明する。
【００４４】
同図において、２１は２次電池、２２は電圧検出回路、２３は制御回路、２４は電源スイッチ、２５は遅延回路、２６，２８及び２９はそれぞれ電源回路Ａ、Ｂ及びＣ、２７は記憶回路、３０はアダプタ接続回路、３１は充電回路、３２は切替スイッチ、３３は充電制御回路である。なお、同図では２次電池２１、アダプタ接続回路３０及び充電回路３１から電源回路Ａ２６、電源回路Ｂ２８及び電源回路Ｃ２９に電圧を印加する配線は省略している。また、以下の実施形態では、電源回路Ａ２６が充電制御回路３３及び本体制御回路３４の電源回路、電源回路Ｂ２８は電子機器本体の操作を行う操作スイッチの電源回路、電源回路Ｃ２９はアダプタ接続回路３０を介して携帯電子機器を駆動する駆動電源回路として説明する。
【００４５】
２次電池２１は図１における電池１と同様に不図示の携帯電子機器に備える装着部に装着されると、電圧検出回路２２で装着を検出し、制御部２３に装着信号を送信する。なお、２次電池２１が電源回路Ａ２６を介して携帯電子機器を駆動するだけの電圧を有する場合は電圧を供給する。すなわち、２次電池２１の充電量が不足で電圧が所定値より低い場合には装着信号を制御回路２３に送出しない。また、電源スイッチ２４は、携帯電子機器の電源の入り切りを制御すると共に、通電信号及び切断信号を生成する。
【００４６】
電源スイッチ２４により携帯電子機器の電源が投入されると、先の実施形態と同様に電源投入時チャタリングが発生する。また、２次電池２１が装着された場合の装着信号の発生によってもチャタリングが発生する。制御回路２３が電源スイッチ２４または電圧検出回路２２から通電信号または装着信号（以下、先の実施形態と同様電源ＯＮ要因と称す）の少なくとも何れかを受信すると、電源回路Ａ２６に対し起動制御信号「Ｐ．ＯＮ．Ｈｉ＿４」を送信し、電源回路Ａ２６に２次電池２１の電圧を印加する。一方、電源回路２４から切断信号の送信または電圧検出回路２２から装着信号の停止（以下、先の実施形態と同様電源ＯＦＦ要因と称す）の少なくとも何れか一方が制御回路２３に送信された場合には、直ちに遅延回路２５により所定期間ｔ（例えば、デカップコンデンサ等の残留電圧の放電時間よりも長い時間）は起動制御信号「Ｐ．ＯＮ．Ｈｉ＿４」をＬｏｗレベルに保持する。制御回路２３は、所定期間ｔの間に電源ＯＮ要因を制御回路２３が受信すると記憶回路２７に電源ＯＮ要因の受信を記憶させる制御を行い、所定期間ｔ経過後に電源ＯＮ要因を受信すると直ちに起動制御信号「Ｐ．ＯＮ．Ｈｉ＿４」をＨｉレベルに変換し続け、電源回路Ａ２６起動動制御信号「Ｐ．ＯＮ．Ｈｉ＿４」を送信する。これは、先の実施形態で述べた内容とほぼ同一である。なお、記憶回路２７は電源スイッチ２４がＯＮ状態かＯＦＦ状態かのＯＮ／ＯＦＦ状態も記憶する。
【００４７】
本実施形態では、この２次電池２１以外に携帯電子機器にＡＣ電源を変換しＤＣ電源を供給するアダプタ接続回路３０、及び２次電池２１を充電する充電回路３１も備える。これらによる電源供給経路を次に説明する。
【００４８】
アダプタ接続回路３０は、周知のようにＡＣ電源をＤＣ電源に変換する変換回路や、安定化回路等を含み構成される。また、アダプタ接続回路３０は、２次電池２１を充電する充電回路３１に電源を供給する供給源として供される場合が多く、本実施形態ではこの構成を採用している。切替スイッチ３２は、携帯電子機器にアダプタ接続回路３０を介して直接ＡＣ電源から供給するか、充電回路３１を介して例えば２次電池２１に対し本体充電を行いながら携帯電子機器に電源を供給するかを切り替える。また、アダプタ接続回路３０を介してＡＣ電源から直接携帯電子機器に電源を供給する場合や、充電回路３１を介して携帯電子機器に電源を供給する場合でも電源ＯＮ要因と電源ＯＦＦ要因とが発生する。なお、本実施形態では説明を簡略化するため、電源スイッチ２４による通電信号及び切断信号と、充電回路３１にアダプタ回路３０から電源の供給及び供給停止に伴う供給信号及び切断信号とについては割愛し、アダプタ接続回路３０の出力電圧を電圧検出回路２２での検出、切替スイッチ３２による切り替え、及び後述する充電制御回路３３に起因する電源ＯＮ要因または電源ＯＦＦ要因について説明する。また、電源回路Ｂ２８は携帯電子機器本体の操作スイッチ（本実施形態では、撮影開始・停止スイッチとする）、電源回路Ｃ２９は充電回路３１を駆動する駆動電源回路として説明する。
【００４９】
アダプタ接続回路３０を介して携帯電子機器に電源が供給されると、不図示の電源供給線から電源回路Ｂ２８に電圧が印加されると共に、電圧検出回路２２がアダプタ接続回路３０の携帯電子機器への接続を検出し、制御部２３にアダプタ接続回路３０が携帯電子機器への装着された装着信号を送信する。このとき、装着信号は単にアダプタ接続回路３０の接続に対する情報だけに留まらず、アダプタ接続回路３０が電源回路Ｂ２８を介して携帯電子機器を駆動するだけの電圧を有するか否かの信号も生成する。すなわち、電圧検出回路２２は、アダプタ接続回路３０に付与するＡＣ電圧の安定度及び電圧値も検知し、両者が所定の値を満たさない場合は装着信号を送出しない。また、携帯電子機器に電源がアダプタ接続回路３０を介した経路か他の経路（本実施形態では２次電池２１の本体充電）かを切り替える切替スイッチ３２で、何れの電源経路かの選択信号も生成する。
【００５０】
電圧検出回路２２が制御回路２３に対し装着信号を発信し、切替スイッチ３２がアダプタ接続回路３０を選択することで選択信号を制御回路２３に発信すると、先の実施形態での説明と同様に電源投入時チャタリングが生じる。このチャタリングに起因してＨｉレベルからＬｏｗレベルへの移行を制御回路２３が受信すると、直ちに遅延回路２５に対し所定期間ｔの遅延を指令する制御を行う。なお、電圧検出回路２２から装着信号の停止を生成した場合でも、装着信号停止の受信に伴い直ちに遅延回路２５に対し所定期間ｔの遅延を指令する制御を行う。これらは先の実施形態での電源ＯＦＦ要因に相当し、逆は電源ＯＮ要因と称す。
【００５１】
電源ＯＦＦ要因を制御回路２３が受信すると、電源回路Ｂ２８に対し起動制御信号「Ｐ．ＯＮ．Ｈｉ＿６」の送信を停止する。電源ＯＦＦ要因を制御回路２３が検知し、遅延回路２５の遅延期間ｔ内に電源ＯＮ要因を制御回路２３が受信すると、記憶回路２７に電源ＯＮ要因発生を記憶させる。また、遅延回路２５の遅延期間ｔ経過後に電源ＯＮ要因を制御回路２３が検知すると、電源回路Ｂ２８にＨｉレベルの起動制御回路「Ｐ．ＯＮ．Ｈｉ＿６」を送信する。すなわち、制御回路２３は、電源ＯＦＦ要因を検知すると直ちに電源回路Ｂ２８への起動制御信号「Ｐ．ＯＮ．Ｈｉ＿６」の送信を停止し、遅延回路２５による所定期間ｔは起動制御信号「Ｐ．ＯＮ．Ｈｉ＿６」をＬｏｗレベルに保持する制御を行う。また、制御回路２３は、電源ＯＮ要因を検知すると、遅延回路２５の遅延期間ｔ以内でなければ直ちに電源回路Ｂ２８への起動制御信号「Ｐ．ＯＮ．Ｈｉ＿６」をＬｏｗレベルからＨｉレベルにする制御を行い、遅延回路２５の遅延期間ｔ以内であれば記憶回路２７に電源ＯＮ要因の受信を記憶させる制御を行う。なお、例えば制御回路２３が装着信号を検知している状態で、切替スイッチ３２がアダプタ接続回路３０を選択した場合にように、電源ＯＮ要因を制御回路２３が検知している状態で別の電源ＯＮ要因を検知した際には、起動制御信号「Ｐ．ＯＮ．Ｈｉ＿６」はＨｉレベルを維持し続ける制御を制御回路２３が行う。逆に、電源ＯＦＦ要因から遅延回路２５による遅延期間ｔ経過中及び経過後も、電源ＯＮ要因を制御回路２３が検知しない場合には、電源回路Ｂ２８への起動制御信号「Ｐ．ＯＮ．Ｈｉ＿６」はＬｏｗレベルを維持し続け、電源印要因を制御回路２３が検知すると直ちに起動制御信号「Ｐ．ＯＮ．Ｈｉ＿６」をＨｉレベルにし、電源ＯＦＦ要因を制御回路２３が検知するまで、起動制御信号「Ｐ．ＯＮ．Ｈｉ＿６」をＨｉレベルに維持し続ける制御を行う。
【００５２】
このように、記憶回路２７は、電源ＯＦＦ要因を制御回路２３が検知し、遅延回路２５による遅延期間ｔ内に電源ＯＮ要因を制御回路２３が検知した時、当該電源ＯＮ要因を記憶する。すなわち、電圧検出回路２２が装着信号を検出し電源回路Ｂ２８に起動制御信号「Ｐ．ＯＮ．Ｈｉ＿６」を送信することで電源回路Ｂ２８にチャタリングが発生し、起動制御信号「Ｐ．ＯＮ．Ｈｉ＿６」がＨｉレベルからＬｏｗレベルへの変動に連動し、遅延回路２５が遅延期間ｔの間に制御回路２３が電源ＯＮ要因を検出した際には、当該電源ＯＮ要因を記憶回路２７に記憶し、所定期間ｔの経過以降に起動制御信号「Ｐ．ＯＮ．Ｈｉ＿６」を電源回路Ｂ２８に送信する。
【００５３】
また、切替スイッチ３２がアダプタ接続回路３０を選択することにより電源ＯＮ要因を制御回路３２が検出する場合でも、電気回路Ｂ２８に起動制御信号「Ｐ．ＯＮ．Ｈｉ＿６」を送信することに起因して、電源回路Ｂ２８にチャタリングが同様に発生する。このチャタリングでも、制御回路２３が電源ＯＦＦ要因を検出すると直ちに遅延回路２５に所定期間ｔの遅延を指令し、遅延期間ｔの間に電源ＯＮ要因を制御回路２３が検出すると、記憶手段２７に電源ＯＮ要求を記憶させ、所定期間ｔ終了直後に記憶手段２７に格納されている電源ＯＮ余韻に基づき、直ちに起動制御信号「Ｐ．ＯＮ．Ｈｉ＿６」を電源回路Ｂ２８に送信し、電源回路Ｂ２８に通電を開始させる。所定期間ｔ経過後に電源ＯＮ要因を制御回路２３が検出する場合は、直ちに起動制御信号「Ｐ．ＯＮ．Ｈｉ＿６」を電源回路Ｂ２８に送出する。
【００５４】
以上のように、電源ＯＦＦ要因を制御回路２３で検出すると、例えば残留電圧の放電時間よりも長い所定期間ｔの間遅延回路２５により遅延を行い、その間起動制御信号「Ｐ．ＯＮ．Ｈｉ＿６」は電源回路Ｂ２８を立ち上げないＬｏｗレベルを維持するため、少なくともチャタリングに起因するＯＮ／ＯＦＦ期間の電源回路Ｂ２８を構成する各種電気部品へ過渡電流が流れ、当該電気部品が破壊されることを抑制できる。しかも、電源ＯＮ要因を制御回路２３が検知すると、遅延回路２５による遅延期間ｔ以内でない限り起動制御信号「Ｐ．ＯＮ．Ｈｉ＿６」を直ちに電源回路Ｂ２８に送信し、遅延回路２５の遅延期間ｔ内であっても遅延期間ｔ終了後直ちに起動制御信号「Ｐ．ＯＮ．Ｈｉ＿６」を電源回路Ｂ２８に送信するため、電源ＯＮ要因を指令したにも拘わらず電源回路Ｂ２８の実働が遅れるという不具合が解消できる。
【００５５】
次に、充電回路３１を介して２次電池２１に充電すると共に、携帯電子機器に電源を供給する場合を説明する。なお、本実施形態では前述したように２次電池２１を携帯電子機器本体で充電する（すなわち、充電制御回路３３が携帯電子機器本体に備える）場合について説明するが、充電回路３１が携帯電子機器本体の外部にある場合であっても、アダプタ接続回路３０が携帯電子機器に電源を供給する構成であれば同様である。
【００５６】
２次電池２１を充電する際には、２次電池２１が充電不足（所定の電圧を電圧検出回路２２で検出できない）状態、２次電池２１により携帯電子機器を所望の期間使用できる実用充電完了状態、及び２次電池２１を完全に充電した満充電状態の３状態を一般的に充電制御回路３３が検出する。また、充電回路３１へは、充電不足状態から満充電完了までの間に電圧が印加されるが、ここでは満受電完了時にアダプタ接続回路３０から充電回路３１への電圧供給は停止され、アダプタ接続回路３０により電源が供給される場合を例にとり説明する。
【００５７】
２次電池２１が携帯電子機器の装着部に装着されると、電圧検出回路２２が２次電池２１の電圧を検出する。２次電池２１が所定の電圧を満足していると電圧検出回路２２により検出した場合には、先に述べた通りの２次電池２１から電源回路Ａ２６に供給する。電圧検出回路２２より２次電池２１が所定の電圧を満たさないことを検出した場合には、アダプタ接続回路３０から充電回路３１に電圧が印加される。この際に、アダプタ接続回路３０から所定の電圧が安定的に供給されていない場合は、前述のアダプタ接続回路３０による電圧供給とほぼ同様の経路をたどり、制御回路２３はＨｉレベルの起動制御信号「Ｐ．ＯＮ．Ｈｉ＿４」を電源回路Ａ２６に付与し、充電制御回路３３を駆動させる。充電制御回路３３が駆動すると、Ｈｉレベルの起動制御信号「Ｐ．ＯＮ．Ｈｉ＿５」を電源回路Ｃ２９に送信制御すると共に、電源回路Ａ２６が起動状態となっているため、充電制御回路３３はＨｉレベルの起動制御信号「Ｐ．ＯＮ．Ｈｉ＿７」を電源回路充電回路３１に送信し制御する。
【００５８】
また、前述したように充電制御回路３３は、２次電池２１に充電する必要がある充電不足状態か、携帯電子機器の駆動部を駆動できる充電量を２次電池に蓄電されている実用充電状態か、２次電池の要領一杯に充電された満充電常態化により切り替える機能を有する。この充電不足状態から実用充電状態となった瞬間、及び実用充電状態から満充電状態になった瞬間にも充電回路３１に印加電圧の変化を指令する。しかしながらこの指令に際しては、充電制御回路３３内部だけに作用するため、チャタリングは発生しなく、２次電池２１が実用充電状態から満充電状態までＨｉレベルの起動制御信号「Ｐ．ＯＮ．Ｈｉ＿７」を充電回路３１にチャタリング無く送信制御する。
【００５９】
なお、２次電池２１の状態変化に際して充電制御回路３３が行う起動制御信号「Ｐ．ＯＮ．Ｈｉ＿７」の制御は、起動制御信号「Ｐ．ＯＮ．Ｈｉ＿４」及び起動制御信号「Ｐ．ＯＮ．Ｈｉ＿５」が電源ＯＮ要因が生じている状態で、起動制御信号「Ｐ．ＯＮ．Ｈｉ＿７」に電源ＯＦＦ要因及び電源ＯＮ要因が生じている。これと類似した電源ＯＮ要因及び電源ＯＦＦ要因と、電源ＯＮ要因とが同時に発生する例について図４を参照して説明する。
【００６０】
同図において、３５は携帯電子機器本体の操作スイッチ、３４は操作スイッチを制御する本体制御回路であり、以下では携帯電子機器を不図示の記録媒体に動画を記録／再生するムービーと通称される撮像機器とし、切替スイッチ３５をシャッタレリーズボタンとした例で説明する。なお、他の構成は図３と同一であるため、説明は割愛する、周知のように、ムービーではレンズで集光した被写体反射光像を撮像素子で電気信号に変換し、シャッタレリーズボタン３５がＯＦＦの時は撮像素子で変換している電気信号をモニター画面にスルー画像として表示し、シャッタレリーズボタン３５がＯＮの時は記録媒体に不図示の記録部（電源回路Ｂ２８の一部）を起動して記録している撮像画像をモニター画面に表示する。従って、シャッタレリーズボタン３５による記録部を起動する電源回路Ｂの一部の電源ＯＮ要因及び電源ＯＦＦ要因は、電源スイッチ２４が電源ＯＮ要因の状態（電源回路Ｂ２８の他の部分が起動状態）で発生する。ムービー等の撮像機能を備える携帯電子機器では、スタンバイ状態と称されるスルー画像を表示している状態から、シャッタレリーズボタン３５をＯＮする撮影状態に移行させるが、このシャッタレリーズボタン３５による電源ＯＮ要因は、本体制御回路３４で完結するため、電源起動時のチャタリングは発生しない。
【００６１】
すなわち、シャッタレリーズボタン３５が電源ＯＦＦ要因にあるスルー画像表示状態は記憶回路２７が記憶し、シャッタレリーズボタン３５をＯＮされると、記憶回路２７は電源ＯＮ要因を本体制御回路３４に送信し、本体制御回路３４は電源回路Ｂ２８に対して起動制御信号「Ｐ．ＯＮ．Ｈｉ＿８」を付与することにより、シャッタをＯＮ状態に制御する。また、シャッタレリーズボタン３４がＯＦＦ状態となると、記憶回路２７が再びＯＦＦ要因を記憶すると共に、本体制御回路３４は電源回路Ｂ２８に対してシャッタＯＦＦを指令するＬｏｗレベルを維持する。
【００６２】
このように、本体制御回路３４を駆動する電源回路Ｂ２８に電源ＯＮ要因が発生している状態であると、電源ＯＦＦ要因が生じた場合及び電源ＯＮ要因が生じた場合は、直ちに電源ＯＦＦ要因によりシャッタをＯＦＦ状態及び電源ＯＮ要因によりシャッタをＯＮ状態に制御することにより、待ち時間を解消することができ、例えばクイックスタートを実現することができる。
【００６３】
このように携帯電子機器では、撮像の開始・停止を行うシャッタレリーズボタンのみならず、ホワイトバランス調整を担うスイッチ、被写体の拡大率を決定するズームスイッチ、記録媒体への記録または再生を指令する録再スイッチ等多種多様のスイッチが存在し、これらを統合的に制御する本体制御回路を備えることが、スイッチのＯＮ／ＯＦＦ動作により電源起動時のチャタリング発生を防ぐ意味からも好ましい。すなわち、本実施形態ではこの本体制御回路３４の電源回路Ｂ２８は、制御回路２３と独立して備えるため、電源起動特のチャタリングの影響を無くすことができ、操作スイッチ類３５のＯＮ／ＯＦＦ時のチャタリングによる影響を抑制することができ、クイックスタートが実現できる。
【００６４】
なお、上述の実施形態では何れも、切替スイッチ２４は電源スイッチとして説明したが、電源スイッチに限らず例えばモニター画面の開閉スイッチ、エレクトリックビューファインダーの開閉スイッチ、記録媒体を収納する収納部を開閉するカバーの開閉スイッチ、有線リモコンによる電源ＯＮ／ＯＦＦ等であっても良い。また、チャタリングは電源投入時に発生する場合について説明したが、電源投入時に限らず、例えば使用者による電子機器のリセット、及び独立した外部機器に備える制御回路からのリセット（例えば、映像装置や記録再生装置とリンクするシステム環境における当該映像装置または当該記録再生装置からのリセット要求等）等であっても良い。
【００６５】
また、図３における切替スイッチ３２は、アダプタ接続回路と２次電池とを切り換えるスイッチをして説明したが、一般的にアダプタと携帯電子機器本体との接続はジャックで行うため、ジャックが入っているか否かでの検知でスイッチングする等の機能が適用できる。さらに、同図における制御回路は３つの場合で説明したが、本体制御回路と充電制御回路とを同一にしても良い。すなわち、本体制御回路や充電制御回路等の電子機器本体の駆動部を制御する内部制御回路と、当該内部制御部を制御する制御回路を備える構成であればどのような内部制御回路及び当該内部回路が制御する電源回路を選ばず、本発明が意図する電源投入時のチャタリングに起因する悪影響を抑制しながら、各操作部の操作に応じた駆動部の駆動に際して瞬時動作ができる電子機器を実現することができる。なお、制御回路が多数の内部制御回路を制御する構成を採用すると、多数の内部制御回路の内制御対象の内部制御回路のみ制御することができるため、多数の内部制御回路を同時に制御する構成に比べると消費電力を抑制することができ、電池の長寿命化を図れる等の効果も奏することができる。
【００６６】
また、図４では切替スイッチ３５をシャッタレリーズボタンとして説明したが、例えばムービーやデジタルスチルカメラのように被写体の反射光像を集光するレンズを保護するレンズバリアの開閉スイッチ、被写体の拡大・縮小率を決定するズーミングスイッチ、ホワイトバランスやカメラ機能のモード等を変更する変更スイッチ、映像や音声を記録媒体に記録／再生を切り換えるスイッチ等であっても良い。
【産業上の利用可能性】
【００６７】
本発明は、クイック起動に関する要求が強く求められている携帯電子機器に、広く適用することができる。
【図面の簡単な説明】
【００６８】
【図１】本発明の電源起動装置における一実施形態を説明する要部ブロック構成図
【図２】同実施形態における信号のタイミング図
【図３】本発明の電源起動装置における他の実施形態を説明する要部ブロック構成図
【図４】本発明の電源起動装置における別の実施形態を説明する要部ブロック構成図
【図５】従来の電源起動装置の要部ブロック構成図
【図６】従来の各種信号のタイミング図
【符号の説明】
【００６９】
１  電池
２  電圧検出回路
３  制御回路
４  電源スイッチ
５  遅延回路
６  電源回路
７  記憶回路
【図１】
2008134778.tif 000003
【図２】
2008134778.tif 000004
【図３】
2008134778.tif 000005
【図４】
2008134778.tif 000006
【図５】
2008134778.tif 000007
【図６】
2008134778.tif 000008